(57)【要約】【課題】構造が単純で破損し難く、製造コストが低いシート止め具を提供する。【解決手段】シート状部材を挟んで支柱部材に嵌着させることによって、シート状部材を支柱部材に固定する筒状のシート止め具１であって、シート状部材を挟んで支柱部材を挟持する挟持部５を有し、挟持部は、軸線方向に開口した開口部８０と、シート状部材を挟んで支柱部材の表面と嵌合する内周面６０とを有し、挟持部の両端部には係止部５０が形成され、係止部の軸線方向端部５１の少なくともいずれか一方の開口方向の幅が小さい。【選択図】図２
0003224521.tif 000002
【実用新案登録請求の範囲】
【請求項１】
シート状部材を挟んで支柱部材に嵌着させることによって、前記シート状部材を支柱部材に固定する筒状のシート止め具であって、
前記シート状部材を挟んで前記支柱部材を挟持する挟持部を有し、
前記挟持部は、軸線方向に開口した開口部と、前記シート状部材を挟んで前記支柱部材の表面と嵌合する内周面とを有し、
前記挟持部の両端部には係止部が形成され、当該係止部の軸線方向端部の少なくともいずれか一方の開口方向の幅が小さいことを特徴とするシート止め具。
【請求項２】
前記シート止め具の外周面に嵌合し、Ｕ字状またはＣ字状の内周面がシート止め具の外周面の外表面の径よりも小さい径を有する剛性強化部を具備することを特徴とする請求項１に記載のシート止め具。
【請求項３】
前記シート止め具の軸線方向の少なくとも一方側端部に、前記支柱部材と嵌着した際に、前記支柱部材との間に空間を形成するように半径方向に延出する延出部を有することを特徴とする請求項１または２に記載のシート止め具。
【請求項４】
前記シート止め具の外周面に、周方向に沿って凸部が少なくとも１つ形成されていることを特徴とする請求項１〜３の何れか１項に記載のシート止め具。
【請求項５】
前記内周面に、少なくとも１つ凸状の付勢部が形成されていることを特徴とする請求項１〜４の何れか１項に記載のシート止め具。
【請求項６】
前記付勢部が、前記内周面の前記開口部の反対側に位置する底部に形成されていることを特徴とする請求項５に記載のシート止め具。
【請求項７】
前記付勢部が、前記内周面に、対向するように２つ形成されていることを特徴する請求項５または６に記載のシート止め具。
【考案の詳細な説明】
【技術分野】
【０００１】
本発明は、シート状部材を支柱部材に対して固定するための止め具に関するものであり、特にビニールハウス等の設備において、その骨組みであるパイプ等の支柱部材にシート状部材を固定するためのものである。
【背景技術】
【０００２】
園芸用のビニールハウス等はパイプ状の骨組みと、その骨組みを覆うように設置されるビニールシート等のシート状部材とで構成されている。そして、シート状部材は、シート止め具等によってその骨組みに固定されている。
【０００３】
シート止め具としては、例えば、特許文献１に開示されているビニールハウス用止め具が挙げられる。このビニールハウス用止め具は、所要長さの棒体に正面形状Ω形の空間を前後に貫通して形成するとともに、上部中央には前後に渡って所要の溝を貫設し、該溝を強制的に拡幅することにより、前記空間を狭小に変形する止め具において、前記溝が前後方向の中央部に断面逆Ｔ形の上部溝と下部溝から成る広幅溝部を形成し、該広幅溝部に、Ｔ形のツマミ部と該ツマミ部の軸部下端に接合したカム板から成る回動駒を、軸部とカム板において嵌着して成るものであり、構造簡易で、支柱への嵌着が簡単であると共に、ワンタッチで強力かつ確実にビニールシートを支柱に固着することができるという効果を奏するものである。
【先行技術文献】
【特許文献】
【０００４】
【特許文献１】実用新案登録第３０４６２６９号公報
【考案の概要】
【考案が解決しようとする課題】
【０００５】
しかしながら、特許文献１に開示されているビニールハウス用止め具は、止め具本体に正面形状Ω形の空間を形成し、そこにＴ字状のツマミ部を取り付ける必要があり、構造が複雑で破損しやすく、製造コストが高くなるという問題点があった。
【０００６】
また、特許文献１に開示されているビニールハウス用止め具は、開口幅が一定であることや、止め具本体の強度が軸線方向端部や中央部においても同じであるため、支柱への取り付けや、取り外しが難いという問題点があった。
【課題を解決するための手段】
【０００７】
本考案の考案者は、上述した問題点に関して鋭意研究・開発を続けた結果、以下のような画期的なシート止め具を見出した。
【０００８】
上記課題を解決するための本発明の第１の態様は、シート状部材を挟んで支柱部材に嵌着させることによって、シート状部材を支柱部材に固定する筒状のシート止め具であって、シート状部材を挟んで支柱部材を挟持する挟持部を有し、挟持部は、軸線方向に開口した開口部と、シート状部材を挟んで支柱部材の表面と嵌合する内周面とを有し、挟持部の両端部には係止部が形成され、当該係止部の軸線方向端部の少なくともいずれか一方の開口方向の幅が小さいことを特徴とするシート止め具にある。
【０００９】
かかる第１の態様では、構造が単純で破損し難く、製造コストが低いシート止め具を提供することができる。また、本態様のシート止め具は、係止部の軸線方向端部の少なくともいずれか一方の開口方向の幅が小さいので、支柱部材に取り付け易く、かつ支柱部材から取り外しやすいという効果を奏する。
【００１０】
本発明の第２の態様は、シート止め具の外周面に嵌合し、Ｕ字状またはＣ字状の内周面がシート止め具の外周面の外表面の径よりも小さい径を有する剛性強化部を具備することを特徴とする第１の態様に記載のシート止め具にある。
【００１１】
ここで、Ｕ字状とは、Ｕ字だけでなく、それに近似する形状を含む概念である。また、Ｃ字状とは、Ｃ字だけでなく、それに近似する形状を含む概念である。
【００１２】
かかる第２の態様では、剛性強化部により、開口する方向に対する開口部の剛性が高くなるので、より強固にシート止め具を支柱部に嵌着させることができる。
【００１３】
本発明の第３の態様は、シート止め具の軸線方向の少なくとも一方側端部に、支柱部材と嵌着した際に、支柱部材との間に空間を形成するように半径方向に延出する延出部を有することを特徴とする第１または第２の態様に記載のシート止め具にある。
【００１４】
かかる第３の態様では、支柱部材と嵌着した際に、支柱部材との間に空間を形成することができるので、この空間に棒状部材を挿入し、その棒状部材を支柱部材の半径方向に回動させることにより、支柱部材からシート止め具を容易に取り外すことができる。
【００１５】
本発明の第４の態様は、シート止め具の外周面に、周方向に沿って凸部が少なくとも１つ形成されていることを特徴とする第１〜第３の態様の何れか１つに記載のシート止め具にある。
【００１６】
ここで、凸部は、シート止め具の外周面の全面に亘って形成されている必要はなく、外周面の一部に形成されていてもよい。また周方向は、シート止め具の軸線方向に対して垂直を成す平面上にある必要はなく、軸線方向に対して所定の角度を有する平面上にあるものも含まれる。
【００１７】
かかる第４の態様では、シート止め具の凸部が形成された部分の剛性が高くなるので、より強固にシート止め具を支柱部に嵌着させることができる。
【００１８】
本発明の第５の態様は、内周面に、少なくとも１つ凸状の付勢部が形成されていることを特徴とする第１〜第４の態様の何れか１つに記載のシート止め具にある。
【００１９】
かかる第５の態様では、付勢部により、内周面の付勢部の反対側近傍に位置する部分に、支柱部材が押し付けられる（付勢される）ことになるので、支柱部材と、シート止め具との嵌着がより強くなる。その結果、支柱部材とシート止め具との嵌着が外れ難くなる。
【００２０】
本発明の第６の態様は、付勢部が、内周面の開口部の反対側に位置する底部に形成されていることを特徴とする第５の態様に記載のシート止め具にある。
【００２１】
かかる第６の態様では、開口部の反対側に位置する付勢部により、支柱部材が弾力性を有する開口部側に押し付けられる（付勢される）ことになるので、支柱部材と、シート止め具との嵌着がより強くなる。その結果、支柱部材と、シート止め具との嵌着がより外れ難くなる。
【００２２】
本発明の第７の態様は、付勢部が、内周面に、対向するように２つ形成されていることを特徴する第５または第６の態様に記載のシート止め具にある。
【００２３】
かかる第７の態様では、複数の付勢部によって、異なる方向から支柱部材が固定される（付勢される）ことになるので、支柱部材と、シート止め具との嵌着がさらに強くなる。その結果、支柱部材とシート止め具との嵌着がさらに外れ難くなる。
【図面の簡単な説明】
【００２４】
【図１】図１は実施形態１に係るシート止め具の使用形態を示す概略図である。
【図２】図２は実施形態１に係るシート止め具の概略斜視図である。
【図３】図３は実施形態１に係るシート止め具の概略上面図である。
【図４】図４は実施形態１に係るシート止め具の概略正面図である。
【図５】図５は実施形態１に係るシート止め具の概略底面図である。
【図６】図６は実施形態１に係るシート止め具の概略側面図である。
【図７】図７は実施形態２に係るシート止め具の概略斜視図である。
【図８】図８は実施形態３に係るシート止め具の概略側面図である。
【図９】図９は実施形態３に係るシート止め具の概略底面図である。
【考案を実施するための形態】
【００２５】
以下に添付図面を参照して、本考案に係るシート止め具の実施形態を説明する。なお、本考案は、以下の実施形態に限定されるものではない。
（実施形態１）
【００２６】
図１に示すように、本実施形態に係るシート止め具１は、ビニールハウス等の設備において、その骨組みであるパイプ状の支柱部材３にシート状部材２を固定するためのものである。
【００２７】
図２〜図６に示すように、シート止め具１は筒状（断面略Ｕ字状）の形状を成している。図２は本実施形態に係るシート止め具の概略斜視図であり、図３は本実施形態に係るシート止め具の概略上面図であり、図４は本実施形態に係るシート止め具の概略正面図であり、図５は本実施形態に係るシート止め具の概略底面図であり、図６は本実施形態に係るシート止め具の概略側面図である。
【００２８】
そして、シート止め具１は、パイプ状の支柱部材を挟んで挟持する挟持部５と、軸線方向（図３に示すＡ方向）に開口した開口部８０と、支柱部材と嵌合する内周面（断面Ｕ字状）６０が設けられている。開口部８０の開口方向（図６に示すＢ方向）の両端部には係止部５０がそれぞれ形成されている。
【００２９】
係止部５０の開口方向の幅は、軸線方向の端部５１に向かうにつれて小さくなっている。その結果、開口部８０の開口幅は軸線方向の端部側に向かって広がっているので、係止部５０の軸線方向の端部５１から支柱部材にシート止め具１を嵌合させると、シート止め具１を支柱部材にスムーズに嵌着させることができると共に、逆の操作を行うことによって、支柱部材からシート止め具１をスムーズに脱着させることができるようになっている。
【００３０】
また、図３に示すように、シート止め具１の軸線方向中央部の外周面７０には、外周面７０の周方向に沿って、突出する断面凹状の凸部１０が設けられており、その凸部１０の凹部内には、金属製の剛性強化部２０が嵌合されている。
【００３１】
この凸部１０を設けることにより、シート止め具の凸部が形成された部分の剛性が高くなるので、シート止め具１を支柱部材により強固に嵌着させることができる。
【００３２】
そして、剛性強化部２０は線状部材を屈曲させてＵ字状を成している。そのＵ字状の内周面の径は、シート止め具１の外周面の径よりも小さくなっており、凸部１０が形成されている効果と合わさって、開口部８０を開口する方向に対する剛性をより向上させることができるようになっている。ここで、剛性強化部２０の材質は、金属製のものであれば特に限定されない。
【００３３】
さらに、シート止め具１の軸線方向の外周面７０には、凸部１０を挟んで対称となるように外周面７０の周方向に沿って、突出する断面凸状の凸部３０が２つ設けられている。これらの凸部３０を設けることにより、シート止め具の凸部が形成された部分の開口方向の剛性が高くなるので、シート止め具を支柱部材により強固に嵌着させることができる。
【００３４】
また、シート止め具１の軸線方向の両端部には、半径方向にコ字状に延出した延出部４０がそれぞれ設けられている。この延出部４０は、シート止め具が支柱部材と嵌着した際に、支柱部材との間に空間４１を形成することができるようになっている。
【００３５】
このような延出部４０を設けることにより、支柱部材と嵌着した際に、支柱部材との間に形成された空間４１内に棒状部材を挿入し、その棒状部材を支柱部材の半径方向に回動させることにより、支柱部材からシート止め具を容易に取り外すことができる。
【００３６】
なお、シート止め具１の厚みは、十分な強度と弾性を有するのであれば特に限定されない。また、シート止め具１の材質は弾力性を有するものであれば特に限定されない。シート止め具１の材質としては、樹脂や金属等で構成してもよく、例えばポリエチレン、ポリプロピレン、ステンレス鋼、塩化ビニール、ポリスチレン、ＡＢＳ樹脂、アクリル、ナイロン、ポリカーボネイト、ポリウレタンおよびこれらの表面にメッキ処理を施したもの等が挙げられる。
【００３７】
以上説明したようにシート止め具１を構成することにより、構造が単純で破損し難く、製造コストが低いシート止め具を提供することができる。
（実施形態２）
【００３８】
実施形態１では、凸部１０を挟んで対称となるように、シート止め具の軸線方向の外周面には、外周面の周方向に沿って、突出する断面凸状の凸部を２つ設けるようにしたが、本発明はこれに限定されない。
【００３９】
例えば、図７に示すように、シート止め具１Ａの軸線方向の端部側の外周面に、凸部１０を挟んで対称となるように、外周面の周方向に沿って、突出する断面凸状の凸部３０Ａを、２つずつさらに設けてもよい。ここで、シート止め具１Ａの軸線方向の最も端部側に設けられた２つの凸部３０Ａは、延出部４０の形状により、一部が視認できないようになっているが、外周面のほぼ周方向に沿って、突出する断面凸状の凸部３０Ａが設けられている。なお、シート止め具１Ａを構成するその他の構成要素は、実施形態１のシート止め具と同様である。
【００４０】
このように、さらに多くの凸部１０、３０、３０Ａを設けることによって、シート止め具の凸部が形成された部分の開口方向の剛性が高くなるので、シート止め具１Ａを支柱部材により強固に嵌着させることができる。
【００４１】
なお、本実施形態では、凸部１０を挟んで対称となるように、外周面の周方向に沿って、突出する断面凸状の凸部３０、３０Ａを設けたが、凸部３０、３０Ａの配置は特に限定されない。また、凸部の数も特に限定されず、凸部を設けなくてもよい。凸部がない場合には、凸部がある場合よりも開口方向の剛性が低くなるが、実施形態１と同様の効果が得られる。
【００４２】
また、凸部は、シート止め具１Ａの軸線方向端部に設けた方が好ましい。凸部をシート止め具１Ａの軸線方向端部に設けることにより、シート止め具１Ａの軸線方向端部の開口方向の剛性を向上させることができるので、支柱部材からシート止め具１Ａが脱着し難くすることができる。
（実施形態３）
【００４３】
上述した実施形態では、シート止め具の内周面に何も設けなかったが、本発明はこれに限定されない。
【００４４】
例えば、図８および図９に示すように、シート止め具１Ｂの内周面６０に、凸状の付勢部９０Ａ、９０Ｂを複数設けてもよい。なお、シート止め具１Ｂを構成するその他の構成要素は、実施形態１のシート止め具と同様である。
【００４５】
これらの図に示すように、内周面６０の開口部８０の対向する位置（底部）には、シート止め具１Ｂの軸線方向に所定の長さを有する矩形状の付勢部９０Ａが設けられていると共に、内周面の底部と開口部８０との間にも、対向するように矩形状（付勢部９０Ａと同様の形状）の付勢部９０Ｂが２つ設けられている。このように付勢部９０Ａ、９０Ｂをシート止め具１Ｂの内周面上に設けることによって、異なる３方向から支柱部材が固定される（付勢される）ことになるので、シート止め具１Ｂと支柱部材との嵌着がさらに強くなる。その結果、シート止め具１Ｂと支柱部材との嵌着がさらに外れ難くなる。
【００４６】
なお、本実施形態では、矩形状の付勢部９０Ａ、９０Ｂを設けたが、付勢部の形状は特に限定されず、数も限定されない。例えば、正四角形状の凸部を、シート止め具１Ｂの軸線方向に複数並べて付勢部を形成してもよい。
【符号の説明】
【００４７】
１、１Ａ、１Ｂ    シート止め具
２    シート状部材
３    支柱部材
５  挟持部
１０、３０、３０Ａ    凸部
２０    剛性強化部
４０    延出部
５０    係止部
５１    端部
６０    内周面
７０    外周面
８０    開口部
９０Ａ、９０Ｂ    付勢部
Ａ    軸線方向
Ｂ    開口方向
【図１】
0003224521.tif 000003
【図２】
0003224521.tif 000004
【図３】
0003224521.tif 000005
【図４】
0003224521.tif 000006
【図５】
0003224521.tif 000007
【図６】
0003224521.tif 000008
【図７】
0003224521.tif 000009
【図８】
0003224521.tif 000010
【図９】
0003224521.tif 000011